(57)【要約】【課題】スピーカを収容する筐体を椅子本来の機能部分として利用すること。【解決手段】スピーカを収容する筐体で椅子１００の肘掛部５を構成し、前記筐体は、音響容積部分を有するスピーカボックスであり、座部６は、肘掛部よりも柔らかいクション材１ｈで構成され、前記肘掛部の高さは前記座部の高さと略等しく形成され、人の着座によって座部が沈むことにより相対的に座部より高くなって肘掛部となり、前記座部には、座部であることを示す標８が設けてある。【選択図】        図２
2005318993.tif 000002
【特許請求の範囲】
【請求項１】
スピーカを収容する筐体で構成される複数の肘掛部と、これら肘掛部の間に配置される座部と、を備えることを特徴とする椅子。
【請求項２】
前記筐体は、音響容積部分を有するスピーカボックスであることを特徴とする請求項１に記載の椅子。
【請求項３】
前記座部は、肘掛部よりも柔らかいクション材で構成されていることを特徴とする請求項１または２に記載の椅子。
【請求項４】
前記肘掛部の高さは前記座部の高さと略等しく形成され、人の着座によって座部が沈むことにより相対的に座部より高くなって肘掛部となることを特徴とする請求項３に記載の椅子。
【請求項５】
前記座部には、座部であることを示す標が設けてあることを特徴とする請求項４に記載の椅子。
【請求項６】
前記肘掛部の高さは前記座部の高さより高く形成されていることを特徴とする請求項１〜３のいずれか一つに記載の椅子。
【請求項７】
前記椅子の中央部には、前記スピーカの音を放音する縦孔が形成されていることを特徴とする請求項１〜６のいずれか一つに記載の椅子。
【請求項８】
前記椅子は平面視矩形に形成され、その対角線上に前記肘掛部が４つ配置されていることを特徴とする請求項１〜７のいずれか一つに記載の椅子。
【請求項９】
椅子本体にスピーカの音を放音する縦孔を形成し、放音面が該縦孔に向けられた複数のスピーカを該椅子本体内に設置したことを特徴とする椅子。
【発明の詳細な説明】
【技術分野】
【０００１】
本発明は、スピーカを備えた椅子に関する。
【背景技術】
【０００２】
劇場やコンサートホール等のホールに設置される、スピーカを備えた椅子に関する発明（従来の技術）が特許文献１に示されている。この従来の椅子は、所定の間隔で座席の左右両側に設けられてホールの床に固定される一対のプレート状の脚部と、その一対の脚部の間に設けられた座部と、その座部の後部から上方に幾分後方に傾斜して設けられた背もたれ部と、各脚部の上端部に設けられた肘掛部とを備えている。座部は中空の座枠とその上面及び前面を覆うクッションとからなり、その座枠内に放音面を下向きにしてスピーカを取り付けている。座枠の下面には多数の格子状開口が形成され、スピーカグリルを兼ねている。
【０００３】
【特許文献１】特開２００３−２１６１６５号公報（段落〔００１３〕、〔００１４〕、図１）
【発明の開示】
【発明が解決しようとする課題】
【０００４】
しかしながら、従来のスピーカを備えた椅子は、スピーカを収容する筐体（座枠）を座部内に組み込んでいるため、座部のクッション性を損なうばかりか、スピーカの放音面を下向きにせざるを得ず、スピーカの音響性能を損ねているという問題があった。
【０００５】
本発明が解決しようとする課題には、上記したものが一例として挙げられ、本発明は、スピーカを収容する筐体を椅子本来の機能部分として利用すること等を目的とする。
【課題を解決するための手段】
【０００６】
請求項１に記載の発明は、スピーカを収容する筐体で構成される複数の肘掛部と、これら肘掛部の間に配置される座部と、を備えることを特徴とする。また、請求項９に記載の発明は、椅子本体にスピーカの音を放音する縦孔を形成し、放音面が該縦孔に向けられた複数のスピーカを該椅子本体内に設置したことを特徴とする。
【発明を実施するための最良の形態】
【０００７】
以下に、本発明に係る椅子の実施例を図面に基づいて詳細に説明する。なお、この実施例によりこの発明が限定されるものではない。
【実施例１】
【０００８】
図１は本発明の実施例１の椅子の斜視図、図２は同上面図、図３は同側面図、図４は図２のＡ−Ａ線に沿う断面図である。
【０００９】
実施例１の椅子１００は、直方体状の椅子本体１と、椅子本体１の下側４隅に取付けられ椅子本体１を所定の高さに支持する４本の脚２とから構成されている。脚２は、椅子本体１を支持する矩形板状のフレーム１ａの４隅に取付けられている。椅子本体１の中央部には、後述のスピーカの音を放音する円形の縦孔１ｂが設けられている。縦孔１ｂは四角形等の角形としても良い。
【００１０】
矩形の椅子本体１の対角線上には、図４に示すように、スピーカ３を収容する筐体としての４本のスピーカボックス４が、縦孔１ｂに放音面４ａを向けて配置され、フレーム１ａ上に固定されている。スピーカボックス４は、直方体状に形成された筐体で、スピーカ３の後方に音響的容積部分４ｂを有している。孔１ｂの側壁は、音を良く通過させる布材１ｃで構成されている。縦孔１ｂの下部１ｄは閉塞しても開放してもどちらでも良い。
【００１１】
肘掛部５となるスピーカボックス４の上側１ｅ及び椅子本体１の角部１ｆには固めのクッション材１ｇが充填されている。一方、椅子本体１内の座部６となる領域には、肘掛部５よりも柔らかいクッション材１ｈが充填されている。座部６となる領域には、コイルバネ（図示せず）を設置しても良い。椅子本体１の表面は布材又は革材等の表面材７で覆われている。
【００１２】
この実施例１の椅子１００では、肘掛部５の高さと座部６の高さとが略等しく形成されているので、人が間違えて肘掛部５に座らないように、座部６の表面に座部であることを示す標８を設けると良い。
【００１３】
４本のスピーカ３への音声信号は信号線９を介して供給される。音声信号の供給は、無線方式としても良い。また、音声信号が２チャンネルの場合は、対向する２本のスピーカ３にＲチャンネル信号を供給し、他の対向する２本のスピーカ３にＬチャンネル信号を供給すれば良い。また、隣り合う２本のスピーカ３にＲチャンネル信号を供給し、他の隣り合う２本のスピーカ３にＬチャンネル信号を供給しても良い。４本のスピーカ３の放音は、一つの縦孔１ｂに集められるので、Ｒ・Ｌの音声の区別は殆んど問題にならない。
【００１４】
この実施例１の椅子１００によれば、スピーカ３を収容する筐体４で肘掛部５を構成したので、筐体４を椅子本来の機能部分（肘掛部５）として利用することができる。また、筐体４を音響容積部分４ｂを有するスピーカボックスとしたので音響性能が良い。また、座部６は肘掛部５よりも柔らかいクッション材で構成してあるので、人の着座によって座部６が沈み、座部６の高さと肘掛部５の高さが人の体形に合うように調節される。また、座部６には、座部であることを示す標８を設けることにより、人が間違えて肘掛部５に座ることはない。
【００１５】
また、椅子の中央部には、複数のスピーカ３の音を放音する縦孔１ｂが形成されているので、狭いスペースで複数人が等しい音場を共有することができる。さらに、椅子１００は、矩形に形成され、その対角線上に肘掛部５が４つ配置されるので、矩形の４個所の辺部にそれぞれ座部６が形成されることとなり、それぞれの座部６が左右に肘掛部５を有して４人が座ることができる。
【実施例２】
【００１６】
図５は本発明の実施例２の椅子の斜視図、図６は同上面図、図７は図６のＢ−Ｂ線に沿う断面図である。図５〜図７において図１〜図４に示すものと同等なものには同一の符号を付し、その詳細な説明を省略する。
【００１７】
実施例２の椅子２００は、概ね直方体状の椅子本体２１と、椅子本体２１の下側４隅に取付けられ椅子本体１を所定の高さに支持する４本の脚２とから構成されている。椅子本体２１の中央部には、実施例１の椅子本体１と異なりスピーカの音を放音する縦孔は設けられておらず、椅子本体２１の角部側面にスピーカグリル２１ｂが設けられている。
【００１８】
矩形の椅子本体２１の対角線上には、スピーカ３を収容する筐体としての４本のスピーカボックス４が、スピーカグリル２１ｂに放音面４ａを向けて配置され、フレーム１ａ上に固定されている。スピーカボックス４の放音面４ａとスピーカグリル２１ｂとの間は、音響ダクト２１ｆでつながれている。スピーカグリル２１ｂは、音を良く通過させる布材１ｃで構成されている。
【００１９】
肘掛部５となるスピーカボックス４の上側１ｅ及び椅子本体２１の中央部には固めのクッション材１ｇが充填されている。肘掛部５で囲まれた三角状の座部２６は、肘掛部５より低く形成されている。座部２６には肘掛部５よりも柔らかいクッション材を充填しても良いし、肘掛部５と同じ固めのクッション材１ｇを充填しても良い。椅子本体２１の表面は布材又は革材等の表面材７で覆われている。
【００２０】
この実施例２の椅子２００では、肘掛部５の高さは座部２６の高さより高く形成されているので、人が間違えて肘掛部５に座ってしまうことはない。
【００２１】
４本のスピーカ３への音声信号は信号線９を介して供給される。音声信号の供給は、無線方式としても良い。また、音声信号が２チャンネルの場合は、座部２６に着座センサーを設けておき、着座した座部２６の右側のスピーカグリル２１ｂからＲチャンネル音を、左側のスピーカグリル２１ｂからＬチャンネル音が出るように切り替えるとよい。ただし、最初に着座した人の位置でチャンネルが決まり、次に隣の座部２６に着座した人は左右逆の音を聴くことになる。
【００２２】
この実施例２の椅子２００によれば、スピーカ３を収容する筐体４で肘掛部５を構成したので、筐体４を椅子本来の機能部分（肘掛部５）として利用することができる。また、筐体４を音響容積部分４ｂを有するスピーカボックスとしたので音響性能が良い。また、肘掛部５の高さが座部２６の高さより高く形成されているので、座り易い椅子が得られる。また、人が間違えて肘掛部５に座ってしまうことはない。
【００２３】
さらに、椅子２００は、矩形に形成され、その対角線上に肘掛部５が４つ配置されるので、矩形の４個所の辺部にそれぞれ座部６が形成されることとなり、それぞれの座部６が左右に肘掛部５を有して４人が座ることができる。
【００２４】
実施例１及び２では、椅子本体を平面視矩形としたが、この変形例として椅子本体を平面視円形、さらには、六角形、八角形等の多角形としても良い。また、実施例２の椅子２００では、スピーカグリル２１ｂの代わりに椅子本体２１の中央部に縦孔を設け、４本のスピーカボックス４を縦孔に放音面４ａを向けて配置した実施例１と同様な構成としても良い。
【実施例３】
【００２５】
図８は本発明の実施例３の椅子の斜視図である。図８において図１〜図７に示すものと同等なものには同一の符号を付し、その詳細な説明を省略する。
【００２６】
実施例３の椅子３００は、長い直方体状の長椅子本体３１と、長椅子本体３１の下側４隅に取付けられ長椅子本体３１を所定の高さに支持する４本の脚２とから構成されている。長椅子本体３１の側面には４つのスピーカグリル３１ｂが設けられている。
【００２７】
平面視長方形の長椅子本体３１内には、スピーカを収容する筐体としての４本のスピーカボックス４が、スピーカグリル３１ｂに放音面４ａを向けて平行に等間隔に配置されている。スピーカボックス４は、長椅子本体３１の下部に位置するフレーム上に固定される。スピーカボックス４の放音面４ａとスピーカグリル３１ｂとの間は、図示しない音響ダクトでつながれている。スピーカグリル３１ｂは、音を良く通過させる布材１ｃで構成されている。
【００２８】
肘掛部５となるスピーカボックス４の上側には固めのクッション材が充填され、座部６となる領域の長椅子本体３１内には、肘掛部５よりも柔らかいクッション材が充填されている。座部６となる領域には、コイルバネを設置しても良い。長椅子本体３１の表面は布材又は革材等の表面材７で覆われている。
【００２９】
この実施例３の長椅子３００では、肘掛部５の高さと座部６の高さとが略等しく形成されているので、人が間違えて肘掛部５に座らないように、座部６の表面に座部であることを示す標８を設けると良い。４本のスピーカへの音声信号の供給は実施例２の場合と同様にして行うことができる。
【００３０】
以上に説明したように、実施例３の長椅子３００によれば、実施例１の椅子１００と同様に、スピーカ３を収容する筐体４で肘掛部５を構成したので、筐体４を椅子本来の機能部分（肘掛部５）として利用することができる。また、筐体４を音響容積部分４ｂを有するスピーカボックスとしたので音響性能が良い。また、座部６は肘掛部５よりも柔らかいクッション材で構成してあるので、人の着座によって座部６が沈み、座部６の高さと肘掛部５の高さが人の体形に合うように調節される。また、座部６には、座部であることを示す標８を設けることにより、人が間違えて肘掛部５に座ることはない。
【図面の簡単な説明】
【００３１】
【図１】実施例１の椅子の斜視図である。
【図２】同上面図である。
【図３】同側面図である。
【図４】図２のＡ−Ａ線に沿う断面図である。
【図５】実施例２の椅子の斜視図である。
【図６】同上面図である。
【図７】図６のＢ−Ｂ線に沿う断面図である。
【図８】実施例３の椅子の斜視図である。
【符号の説明】
【００３２】
３  スピーカ
４  スピーカボックス（筐体）
５  肘掛部
６  座部
８  標
１００，２００，３００  椅子
【図１】
2005318993.tif 000003
【図２】
2005318993.tif 000004
【図３】
2005318993.tif 000005
【図４】
2005318993.tif 000006
【図５】
2005318993.tif 000007
【図６】
2005318993.tif 000008
【図７】
2005318993.tif 000009
【図８】
2005318993.tif 000010